(57)【特許請求の範囲】
【請求項１】
少なくとも開口部を設けた箱体本体と、該箱体本体の前記開口部を施蓋する扉体と、前記箱体本体の内部の背板に設けたパネル固定具と、該パネル固定具に取り付けられる電気機器を載置固定する四角形状のパネルとを具備する電気機器収納用箱体において、前記パネル固定具は雛壇状に折曲形成し、前記箱体本体の内部の背板の四隅近傍に一端を固定して他端を箱体本体の四隅方向に放射状に取り付け、前記パネルは全周の端部を略直角に折曲形成すると共に、四隅に切欠を形成し、該切欠近傍に第１のボルト挿通孔を設け、該第１のボルト挿通孔に対向する前記パネル固定具に第２のボルト挿通孔を設けると共に前記パネルと前記パネル固定具を夫々当接させ、前記第１のボルト挿通孔と前記第２のボルト挿通孔とを一致させた状態でボルトで締め付け固定することを特徴とする電気機器収納用箱体。
【請求項２】
前記電気機器収納用箱体において、前記パネル固定具に接地端子を連設することを特徴とする請求項１に記載の電気機器収納用箱体。
【請求項３】
前記電気機器収納用箱体において、前記パネル固定具と接地端子を一体に形成することを特徴とする請求項１に記載の電気機器収納用箱体。
【発明の詳細な説明】
【０００１】
【発明の属する技術分野】
本発明は、電気機器収納用箱体における電気機器を載置固定するためのパネルの固定構造に関する。
【０００２】
【従来の技術】
従来、電気機器収納用箱体における電気機器を載置固定するためのパネルの固定構造は、図１６に示すようなものである。即ち、電気機器収納用箱体５１は、開口部を設けた箱体本体５２と、箱体本体５２の開口部を施蓋する扉体（図示せず）と、箱体本体５２の内部の背板５３に設けたボルト固定具５４と、ボルト固定具５４にボルト５７を介して取り付けられる電気機器を載置固定する四角形状のパネル５５とを具備している。パネル５５の全周の端部を略直角に折曲形成すると共に、四隅近傍にボルト挿通孔５６を設け、ボルト固定具５４にボルト５７の頭部５７ａを固定し、この状態でボルト５７の軸部５７ｂにナット５８とパネル５５のボルト挿通孔５６を挿通し、ナット５９で締め付け固定する。この電気機器収納用箱体５１の接地端子（図示せず）は、箱体本体５２の内部にパネル５５とは別に設けられている。
【０００３】
【発明が解決しようとする課題】
上記構成の従来の電気機器収納用箱体５１は部品点数が多くなり、部品管理が煩雑になると共に、生産に時間がかかるという欠点があった。また、パネル５３を固定するボルト５７に荷重が集中するため、それに耐え得る径のボルトを使用しなければならず、重量が増すと共に製造コストが高くなってしまうという欠点があった。
【０００４】
【課題を解決するための手段】
上記従来の電気機器収納用箱体の問題点に鑑み、本発明の目的は、部品点数を削減すると共に、生産性が向上し、而も製造コストを低減する電気機器収納用箱体を提供するもので、少なくとも開口部を設けた箱体本体と、該箱体本体の前記開口部を施蓋する扉体と、前記箱体本体の内部の背板に設けたパネル固定具と、該パネル固定具に取り付けられる電気機器を載置固定する四角形状のパネルとを具備する電気機器収納用箱体において、前記パネル固定具は雛壇状に折曲形成し、前記箱体本体の内部の背板の四隅近傍に一端を固定して他端を箱体本体の四隅方向に放射状に取り付け、前記パネルは全周の端部を略直角に折曲形成すると共に、四隅に切欠を形成し、該切欠近傍に第１のボルト挿通孔を設け、該第１のボルト挿通孔に対向する前記パネル固定具に第２のボルト挿通孔を設けると共に前記パネルと前記パネル固定具を夫々当接させ、前記第１のボルト挿通孔と前記第２のボルト挿通孔とを一致させた状態でボルトで締め付け固定することである。
【０００５】
また、前記電気機器収納用箱体において、前記パネル固定具に接地端子を連設することである。
【０００６】
また、前記電気機器収納用箱体において、前記パネル固定具と接地端子を一体に形成することである。
【０００７】
【発明の実施の形態】
請求項１の記載の構成の電気機器収納用箱体によれば、パネルは切欠でパネル固定具に支持されると共に、締め付け固定されるので、少ない部品点数で確実に固定される。
【０００８】
また、請求項２の記載の構成の電気機器収納用箱体によれば、パネルは切欠でパネル固定具に支持されると共に、締め付け固定され、更に接地端子具備するので、少ない部品点数で確実に固定され、接地もできる。
【０００９】
また、請求項３の記載の構成の電気機器収納用箱体によれば、パネルは切欠でパネル固定具に支持されると共に、締め付け固定され、更に接地端子具備するので、少ない部品点数で確実に固定され、接地もできる。
【００１０】
【実施例】
図１〜図５は本発明に係る電気機器収納用箱体の第１実施例である。以下これらの図面に基づき本発明を説明する。
【００１１】
電気機器収納用箱体１は、開口部を設けた箱体本体２と、箱体本体２の開口部を施蓋する扉体３と、箱体本体２の内部の背板４に設けたパネル固定具５，５，５，５と、パネル固定具５，５，５，５に取り付けられる電気機器を載置固定する四角形状のパネル６とを具備する。
【００１２】
パネル固定具５，５，５，５を雛壇状に折曲形成し、箱体本体２の内部の背板４の四隅近傍に一端を固定して他端を箱体本体２の四隅方向に放射状に取り付け、パネル６は全周の端部を略直角に折曲形成すると共に、四隅に切欠７，７，７，７を形成し、切欠７，７，７，７の近傍に第１のボルト挿通孔８，８，８，８を設け、第１のボルト挿通孔８，８，８，８に対向するパネル固定具５，５，５，５に第２のボルト挿通孔９，９，９，９を設けると共にパネル６とパネル固定具５，５，５，５を夫々当接させ、第１のボルト挿通孔８，８，８，８と第２のボルト挿通孔９，９，９，９とを一致させた状態でボルト１０，１０，１０，１０で締め付け固定する。
【００１３】
この構成の電気機器収納用箱体１によれば、パネル６は切欠７でパネル固定具５に支持されると共に、締め付け固定されるので、少ない部品点数で確実に固定される。
【００１４】
図６〜図１０は本発明に係る電気機器収納用箱体の第２実施例である。以下これらの図面に基づき本発明を説明する。
【００１５】
電気機器収納用箱体１１は、開口部を設けた箱体本体１２と、箱体本体１２の開口部を施蓋する扉体１３と、箱体本体１２の内部の背板１４に設けた接地端子２１が連設されたパネル固定具１５，１５，１５，１５と、パネル固定具１５，１５，１５，１５に取り付けられる電気機器を載置固定する四角形状のパネル１６とを具備する。
【００１６】
パネル固定具１５，１５，１５，１５を雛壇状に折曲形成し、箱体本体１２の内部の背板１４の四隅近傍に一端を固定して他端を箱体本体１２の四隅方向に放射状に取り付け、パネル１６は全周の端部を略直角に折曲形成すると共に、四隅に切欠１７，１７，１７，１７を形成し、切欠１７，１７，１７，１７の近傍に第１のボルト挿通孔１８，１８，１８，１８を設け、第１のボルト挿通孔１８，１８，１８，１８に対向するパネル固定具１５，１５，１５，１５に第２のボルト挿通孔１９，１９，１９，１９を設けると共にパネル１６とパネル固定具１５，１５，１５，１５を夫々当接させ、第１のボルト挿通孔１８，１８，１８，１８と第２のボルト挿通孔１９，１９，１９，１９と接地端子２１のボルト挿通孔２２を一致させた状態でボルト２０，２０，２０，２０で締め付け固定する。
【００１７】
この構成の電気機器収納用箱体１１によれば、パネル１６は切欠１７でパネル固定具１５に支持されると共に、締め付け固定され、更に接地端子２１を具備するので、少ない部品点数で確実に固定され、接地もできる。
【００１８】
図１１〜図１５は本発明に係る電気機器収納用箱体の第３実施例である。以下これらの図面に基づき本発明を説明する。
【００１９】
電気機器収納用箱体３１は、開口部を設けた箱体本体３２と、箱体本体３２の開口部を施蓋する扉体３３と、箱体本体３２の内部の背板３４に設けた接地端子４１が一体形成されたパネル固定具３５，３５，３５，３５と、パネル固定具３５，３５，３５，３５に取り付けられる電気機器を載置固定する四角形状のパネル３６とを具備する。
【００２０】
パネル固定具３５，３５，３５，３５を雛壇状に折曲形成し、箱体本体３２の内部の背板３４の四隅近傍に一端を固定して他端を箱体本体３２の四隅方向に放射状に取り付け、パネル３６は全周の端部を略直角に折曲形成すると共に、四隅に切欠３７，３７，３７，３７を形成し、切欠３７，３７，３７，３７の近傍に第１のボルト挿通孔３８，３８，３８，３８を設け、第１のボルト挿通孔３８，３８，３８，３８に対向するパネル固定具３５，３５，３５，３５に第２のボルト挿通孔３９，３９，３９，３９を設けると共にパネル３６とパネル固定具３５，３５，３５，３５を夫々当接させ、第１のボルト挿通孔３８，３８，３８，３８と第２のボルト挿通孔３９，３９，３９，３９とを一致させた状態でボルト４０，４０，４０，４０で締め付け固定する。
【００２１】
この構成の電気機器収納用箱体３１によれば、パネル３６は切欠３７でパネル固定具３５に支持されると共に、締め付け固定され、更に接地端子４１を具備するので、少ない部品点数で確実に固定され、接地もできる。
【００２２】
【発明の効果】
以上のように本発明に係る請求項１に記載の電気機器収納用箱体は、少なくとも開口部を設けた箱体本体と、該箱体本体の前記開口部を施蓋する扉体と、前記箱体本体の内部の背板に設けたパネル固定具と、該パネル固定具に取り付けられる電気機器を載置固定する四角形状のパネルとを具備する電気機器収納用箱体において、前記パネル固定具は雛壇状に折曲形成し、前記箱体本体の内部の背板の四隅近傍に一端を固定して他端を箱体本体の四隅方向に放射状に取り付け、前記パネルは全周の端部を略直角に折曲形成すると共に、四隅に切欠を形成し、該切欠近傍に第１のボルト挿通孔を設け、該第１のボルト挿通孔に対向する前記パネル固定具に第２のボルト挿通孔を設けると共に前記パネルと前記パネル固定具を夫々当接させ、前記第１のボルト挿通孔と前記第２のボルト挿通孔とを一致させた状態でボルトで締め付け固定することによって、部品点数を削減することができるため部品管理が楽になり、また生産性も向上する。そのため製造コストを低減することができる。パネルを固定するボルトに荷重が集中することなく、パネル固定具にも分散されるので、パネルの荷重に耐え得る径のボルトを使用しなくて済み、重量が増すこともなく、製造コストが高くなることもないという効果がある。
【００２３】
また、請求項２に記載の電気機器収納用箱体は、前記パネル固定具に接地端子を連設することによって、簡単に接地端子を設けることができるという効果がある。
【００２４】
また、請求項３に記載の電気機器収納用箱体は、前記パネル固定具と接地端子を一体に形成することによって、簡単に接地端子を設けることができるという効果がある。
【図面の簡単な説明】
【図１】本発明に係る電気機器収納用箱体の第１実施例の外断面図である。
【図２】本発明に係る電気機器収納用箱体の第１実施例の要部説明図である。
【図３】本発明に係る電気機器収納用箱体の第１実施例の要部説明図である。
【図４】本発明に係る電気機器収納用箱体の第１実施例のパネル固定具の要部説明図である。
【図５】本発明に係る電気機器収納用箱体の第１実施例のパネル固定具の要部説明図である。
【図６】本発明に係る電気機器収納用箱体の第２実施例の外断面図である。
【図７】本発明に係る電気機器収納用箱体の第２実施例の要部説明図である。
【図８】本発明に係る電気機器収納用箱体の第２実施例の要部説明図である。
【図９】本発明に係る電気機器収納用箱体の第２実施例のパネル固定具の要部説明図である。
【図１０】本発明に係る電気機器収納用箱体の第２実施例のパネル固定具の要部説明図である。
【図１１】本発明に係る電気機器収納用箱体の第３実施例の外断面図である。
【図１２】本発明に係る電気機器収納用箱体の第３実施例の要部説明図である。
【図１３】本発明に係る電気機器収納用箱体の第３実施例の要部説明図である。
【図１４】本発明に係る電気機器収納用箱体の第３実施例のパネル固定具の要部説明図である。
【図１５】本発明に係る電気機器収納用箱体の第３実施例のパネル固定具の要部説明図である。
【図１６】従来の電気機器収納用箱体の要部説明図である。
【符号の説明】
１・・・電気機器収納用箱体、２・・・箱体本体、３・・・扉体、４・・・背板、５・・・パネル固定具、６・・・パネル、７・・・切欠、８・・・第１のボルト挿通孔、９・・・第２のボルト挿通孔、１０・・・ボルト。
【図１】
0003678569.tif 000002
【図２】
0003678569.tif 000003
【図３】
0003678569.tif 000004
【図４】
0003678569.tif 000005
【図５】
0003678569.tif 000006
【図６】
0003678569.tif 000007
【図７】
0003678569.tif 000008
【図８】
0003678569.tif 000009
【図９】
0003678569.tif 000010
【図１０】
0003678569.tif 000011
【図１１】
0003678569.tif 000012
【図１２】
0003678569.tif 000013
【図１３】
0003678569.tif 000014
【図１４】
0003678569.tif 000015
【図１５】
0003678569.tif 000016
【図１６】
0003678569.tif 000017